(57)【要約】【課題】通しパイプに止まりパイプを当接できるようにすると共に、均一に締め付けて連結できるようにする。【解決手段】通し嵌合筒５の外周に第１の軸線７を中心として設けられる表面側を凸状に形成すると共に裏面側を凹状に形成した第１の突条15と、二つの板状の内側セグメント10と外側セグメント11に前記仮想一平面９を境としてそれぞれ設けられる内側フランジ16と外側フランジ17と、これら内側フランジ16と外側フランジ17に設けられたボルト13の貫通部を備える。貫通部の周囲に設けられた表面側を凸状に形成すると共に裏面側を凹状に形成した縁突条22とを備える。ボルト13にナットを螺着して締め付けたときに、通し嵌合筒５や貫通部まわりに局部応力が発生しても、第１の突条15や縁突条22の弾性変形がこれを解消でき、均一な締め付けを可能にする。【選択図】図１
0003135596.tif 000002
【実用新案登録請求の範囲】
【請求項１】
１本の通し嵌合筒に止まり嵌合筒が交差接合されると共に、隣接する前記通し嵌合筒及び前記止まり嵌合筒が、前記通し嵌合筒の第１の軸線と前記止まり嵌合筒の第２の軸線を仮想の一つの平面内に位置させるように分断されて二つの板状のセグメントに分割され、かつ、隣接する前記セグメントが頭部を備えた雄螺子部材及びそれに螺合する雌螺子部材を介して連結され、前記通し嵌合筒に挿通された通しパイプや通し軸及び前記止まり嵌合筒に挿入された止まりパイプや止まり軸とが、前記雄螺子部材及び前記雌螺子部材による隣接する前記セグメント同士の締め付けによって結合されている継手において、前記通し嵌合筒の外周に前記第１の軸線を中心として設けられる表面側を凸状に形成すると共に裏面側を凹状に形成した第１の突条と、前記セグメントに前記平面を境としてそれぞれ設けられるフランジと、これらフランジに設けられた前記雄螺子部材の貫通部と、前記貫通部の周囲に設けられた表面側を凸状に形成すると共に裏面側を凹状に形成した縁突条とを備えることを特徴とする継手。
【請求項２】
前記縁突条と前記第１の突条とを接続する第１の接続用突条を前記フランジに備えることを特徴とする請求項１記載の継手。
【請求項３】
１本の通し嵌合筒に止まり嵌合筒が交差接合されると共に、隣接する前記通し嵌合筒及び前記止まり嵌合筒が、前記通し嵌合筒の第１の軸線と前記止まり嵌合筒の第２の軸線を仮想の一つの平面内に位置させるように分断されて二つの板状のセグメントに分割され、かつ、隣接する前記セグメントが頭部を備えた雄螺子部材及びそれに螺合する雌螺子部材を介して連結され、前記通し嵌合筒に挿通された通しパイプや通し軸及び前記止まり嵌合筒に挿入された止まりパイプや止まり軸とが、前記雄螺子部材及び前記雌螺子部材による隣接する前記セグメント同士の締め付けによって結合されている継手において、前記止まり嵌合筒の外周に前記第２の軸線を中心として設けられる表面側を凸状に形成すると共に裏面側を凹状に形成した第２の突条と、前記セグメントに前記平面を境としてそれぞれ設けられるフランジと、これらフランジに設けられた前記雄螺子部材の貫通部と、前記貫通部の周囲に設けられた表面側を凸状に形成すると共に裏面側を凹状に形成した縁突条とを備えることを特徴とする継手。
【請求項４】
前記縁突条と前記第２の突条とを接続する第２の接続用突条を前記フランジに備えることを特徴とする請求項３記載の継手。
【請求項５】
前記フランジの前記通し嵌合筒側の第１の縁は前記第２の軸線とほぼ平行に設けられ、前記フランジの前記止まり嵌合筒側の第２の縁は前記第１の軸線とほぼ平行に設けられることを特徴とする請求項１〜４のいずれか１項に記載の継手。
【考案の詳細な説明】
【技術分野】
【０００１】
本考案は、１本の通し嵌合筒に止まり嵌合筒が交差接合した継手に関するものである。
【背景技術】
【０００２】
従来、この種のものとして第１の継手とパイプの結合構造は、１本の通し嵌合筒及び１〜４本の止まり嵌合筒が止まり嵌合筒の一端に連設した接合筒により交差接合されると共に、隣接する通し嵌合筒及び止まり嵌合筒が両者の軸線を一平面内に位置させるように分断されて複数のセグメントに分割され、かつ、隣接するセグメントが接合筒を貫通するボルト及びそれに螺合するナットで連結される継手と、継手の通し嵌合筒に挿通された通しパイプ及び止まり嵌合筒に挿入された止まりパイプとが、前記ボルト及びナットによる隣接するセグメント同士の締め付けによって結合されている継手とパイプの結合構造が公知である（例えば、特許文献１）。
【特許文献１】特開2004-169775公報
【考案の開示】
【考案が解決しようとする課題】
【０００３】
従来技術においては、接合筒の中央を貫通するボルト及びナットの締め付け力で、通しパイプと止まりパイプを連結できるものの、例えば通しパイプに止まりパイプが直接当接するようなことができなかったので、通しパイプや止まりパイプの位置決めがやや煩雑であった。
【０００４】
このような問題を解決するものとして、例えば分断した二つの板状のセグメントにフランジを設けると共に、これらフランジ間をボルト・ナットにより締め付けて固定することが考えられるが、締め付けに伴い局部応力が発生して、均一に締め付けできなくなるおそれが懸念される。
【０００５】
解決しようとする問題点は、パイプや軸を交差状態で連結する継手において、通しパイプに止まりパイプを当接できるようにすると共に、均一に締め付けて連結できるようにする点である。
【課題を解決するための手段】
【０００６】
請求項１の考案は、１本の通し嵌合筒に止まり嵌合筒が交差接合されると共に、隣接する前記通し嵌合筒及び前記止まり嵌合筒が、前記通し嵌合筒の第１の軸線と前記止まり嵌合筒の第２の軸線を仮想の一つの平面内に位置させるように分断されて二つの板状のセグメントに分割され、かつ、隣接する前記セグメントが頭部を備えた雄螺子部材及びそれに螺合する雌螺子部材を介して連結され、前記通し嵌合筒に挿通された通しパイプや通し軸及び前記止まり嵌合筒に挿入された止まりパイプや止まり軸とが、前記雄螺子部材及び前記雌螺子部材による隣接する前記セグメント同士の締め付けによって結合されている継手において、前記通し嵌合筒の外周に前記第１の軸線を中心として設けられる表面側を凸状に形成すると共に裏面側を凹状に形成した第１の突条と、前記セグメントに前記平面を境としてそれぞれ設けられるフランジと、これらフランジに設けられた前記雄螺子部材の貫通部と、前記貫通部の周囲に設けられた表面側を凸状に形成すると共に裏面側を凹状に形成した縁突条とを備えることを特徴とする継手である。
【０００７】
請求項２の考案は、前記縁突条と前記第１の突条とを接続する第１の接続用突条を前記フランジに備えることを特徴とする請求項１記載の継手である。
【０００８】
請求項３の考案は、１本の通し嵌合筒に止まり嵌合筒が交差接合されると共に、隣接する前記通し嵌合筒及び前記止まり嵌合筒が、前記通し嵌合筒の第１の軸線と前記止まり嵌合筒の第２の軸線を仮想の一つの平面内に位置させるように分断されて二つの板状のセグメントに分割され、かつ、隣接する前記セグメントが頭部を備えた雄螺子部材及びそれに螺合する雌螺子部材を介して連結され、前記通し嵌合筒に挿通された通しパイプや通し軸及び前記止まり嵌合筒に挿入された止まりパイプや止まり軸とが、前記雄螺子部材及び前記雌螺子部材による隣接する前記セグメント同士の締め付けによって結合されている継手において、前記止まり嵌合筒の外周に前記第２の軸線を中心として設けられる表面側を凸状に形成すると共に裏面側を凹状に形成した第２の突条と、前記セグメントに前記平面を境としてそれぞれ設けられるフランジと、これらフランジに設けられた前記雄螺子部材の貫通部と、前記貫通部の周囲に設けられた表面側を凸状に形成すると共に裏面側を凹状に形成した縁突条とを備えることを特徴とする継手である。
【０００９】
請求項４の考案は、前記縁突条と前記第２の突条とを接続する第２の接続用突条を前記フランジに備えることを特徴とする請求項３記載の継手である。
【００１０】
請求項５の考案は、前記フランジの前記通し嵌合筒側の第１の縁は前記第２の軸線とほぼ平行に設けられ、前記フランジの前記止まり嵌合筒側の第２の縁は前記第１の軸線とほぼ平行に設けられることを特徴とする請求項１〜４のいずれか１項に記載の継手である。
【考案の効果】
【００１１】
請求項１の考案によれば、通しパイプに止まりパイプを当接でき、雄螺子部材に雌螺子部材を螺着して締め付けたときに、通し嵌合筒や貫通部まわりに局部応力が発生しても、第１の突条や縁突条の弾性変形がこれを解消でき、均一な締め付けを可能にする。
【００１２】
請求項２の考案によれば、締め付け時に強力な局部応力が発生したとしても、これを縁突条から第１の接続用突条を介して第１の突条へと伝達したり、また第１の突条から第１の接続用突条を介して縁突条へと伝達して解消できる。
【００１３】
請求項３の考案によれば、通しパイプに止まりパイプを当接でき、雄螺子部材に雌螺子部材を螺着して締め付けたときに、止まり嵌合筒や貫通部まわりに局部応力が発生しても、第２の突条や縁突条の弾性変形がこれを解消でき、均一な締め付けを可能にする。
【００１４】
請求項４の考案によれば、締め付け時に強力な局部応力が発生したとしても、これを縁突条から第２の接続用突条を介して第２の突条へと伝達したり、また第２の突条から第２の接続用突条を介して縁突条へと伝達して解消できる。
【００１５】
請求項５の考案によれば、正面が角型で面積の広いフランジにより雄螺子部材、雌螺子部材の径を大きくすることなどが可能となる。
【考案を実施するための最良の形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１７】
図１〜図６は実施例１を示しており、この実施例は例えば図５に示すようにパイプにより足場を組み立てた場合を示しており、四隅に立設した縦向きの通しパイプ１の中段、上段、下段にそれぞれ横向きの止まりパイプ２が四方に配置されている。そして、通しパイプ１に中段の止まりパイプ２が継手３を介して連結している。また通しパイプ１の上段、下段に止まりパイプ２が別の継手４を介して連結している。
【００１８】
前記中段の継手３について説明する。継手３はステンレス鋼等鋼やアルミニウム等の金属、セラミックス又は合成樹脂からなる分割形であって、この継手３は、通しパイプ１が貫通する１本の通し嵌合筒５と、それぞれ止まりパイプ２が挿入する２本の止まり嵌合筒６が、通し嵌合筒５の中心軸をなす第１の軸線７と止まり嵌合筒６の中心軸をなす第２の軸線８がＴ字状をなし、かつ、両止まり嵌合筒６の軸線８が直角をなすように交差接合されると共に、隣接する通し嵌合筒５と止まり嵌合筒６が両者の軸線７，８を仮想の一平面９内に位置させるように分断されて平面視ほぼＬ字状の内角を有する内側分割片等とも称せられる内側セグメント10と外角を有する外側分割片等とも称せられる外側セグメント11に２分割されている。これら内側セグメント10と外側セグメント11は、頭部を有する雄螺子部材たる頭部12を有するボルト13と雌螺子部材たるナット14により分解可能に連結されている。
【００１９】
さらに、内側セグメント10と外側セグメント11における通し嵌合筒５の外周に第１の軸線７を中心として設けられる第１の突条15がほぼ半環状にそれぞれ設けられ、また止まり嵌合筒６の外周に第２の軸線８を中心として第２の突条15Ａがほぼ半環状にそれぞれ設けられる。内側セグメント10と外側セグメント11には、前記仮想一平面９を境としてそれぞれ対向して設けられる内側フランジ16と外側フランジ17とが設けられている。この内側フランジ16と外側フランジ17は、通し嵌合筒５や止まり嵌合筒６と同じ厚みの板状に形成されている。そして内側フランジ16と外側フランジ17の通し嵌合筒５側の第１の縁18は第２の軸線８とほぼ平行に設けられている。また、内側フランジ16と外側フランジ17の止まり嵌合筒６側の第２の縁19は第１の軸線７とほぼ平行に設けられている。そして、内側フランジ16と外側フランジ17には貫通孔によってボルト13の第１の貫通部20、第２の貫通部21が同軸状にそれぞれ設けられており、第１の貫通部20、第２の貫通部21の周囲には表面側に突出して縁突条22がそれぞれ設けられている。なお、突条はプレス加工などの塑性加工により金属板材の一部を、板厚を大幅に変えずに表面側を凸状に膨出して形成すると共に裏面側を凹状に形成したものであって、曲線状、直線状のように長手方向に連続して形成されるものである。そして、縁突条22は第１の貫通部20、第２の貫通部21の縁に沿って環状に設けられるものである。また、第１の貫通部20、第２の貫通部21における実施例では第１の貫通部20の内径となる縁突条22の内径Ａは頭部12の最小幅Ｂより小さく形成されており（Ａ＜Ｂ）、頭部12が常時縁突条22に当接するようになっている。そして第１の貫通部20、第２の貫通部21を貫通したボルト13にナット14を螺着することで縁突条22を介して内側セグメント10と外側セグメント11を締め付けできるようになっている。
【００２０】
また、縁突条22と第１の突条15とを接続する第１の接続用突条23を備える。第１の接続用突条23の長手方向は、第１の軸線７の長手方向と直交すると共に、第１の突条15と第１の接続用突条23との接続箇所は、止まり嵌合筒６から第１の貫通部20、第２の貫通部21より遠い箇所であって、縁突条22に対して接線方向に設けられている。同様に、縁突条22と第２の突条15Ａとを接続する第２の接続用突条24を備える。第２の接続用突条24は、第２の軸線８の長手方向と直交すると共に、第２の突条15Ａと第２の接続用突条24との第２の接続箇所は、止まり嵌合筒６から第１の貫通部20、第２の貫通部21より近いに設けられている。
【００２１】
尚、図中25は上段のパイプに装着したタル木止め具であって、リング状の金属バンド26を中心軸を通る平面で２分割し、これらはボルト27・ナット28により締め付けられるものである。そして分割した一方のバンド26に中心軸と離れるようにタル木留め板部29を突設したものである。
【００２２】
次に前記構成についてその作用を説明する。継手３を介して通しパイプ１に中段の止まりパイプ２を連結する場合、通しパイプ１の左右両側を通し嵌合筒５で挟むと同時に止まりパイプ２の左右を両止まり嵌合筒６で挟むようにして内側セグメント10と外側セグメント11を配置する。この際、通しパイプ１に止まりパイプ２を当接する。次に第１の貫通部20、第２の貫通部21にボルト13を貫挿すると共に、反対側からナット14をボルト13の先端に螺着して締め付けする。この際、この締め付け力により縁突条22が内側に押圧されて弾性変形し、ボルト13の頭部12とナット14は縁突条22の表面にそれぞれ圧着する。この縁突条22における弾性変形が伴う前記圧着作用によってボルト13の頭部12とナット14にはそれぞれ緩み止め作用がなされる。同時に、ボルト13、ナット14の締め付けにより第１の貫通部20、第２の貫通部21まわりに局部応力が生じても、縁突条22のさらなる弾性変形によって局部応力が吸収できる。
【００２３】
さらに、ボルト13とナット14との締め付け力により内側セグメント10と外側セグメント11とを締め付けることとなる。この際、通し嵌合筒５の外周に第１の軸線７を中心としてそれぞれ設けられている第１の突条15が、通しパイプ１に対して環状に配置されることにより、仮に通し嵌合筒５に局部応力が加わったとしても該第１の突条15が弾性変形することで、その局部応力を吸収することができる。同様に、環状の第２の突条15Ａが、止まりパイプ２に対して環状に配置されることにより、仮に止まり嵌合筒６に局部応力が加わったとしても該第２の突条15Ａが弾性変形することで、その局部応力を吸収することができる。
【００２４】
また、縁突条22と第１の突条15とを接続する第１の接続用突条23が設けられているので、ボルト13とナット14との締め付けに伴い内側フランジ16、外側フランジ17に局部応力が生じたとしても、この局部応力は第１の接続用突条23を介して縁突条22、第１の突条15が弾性変形することで吸収することができる。同様に、縁突条22と第２の突条15Ａとを接続する第２の接続用突条24が設けられているので、ボルト13とナット14との締め付けに伴い内側フランジ16、外側フランジ17に局部応力が生じたとしても、この局部応力は第２の接続用突条24を介して縁突条22、第２の突条15Ａが弾性変形することで局部応力を吸収することができる。
【００２５】
以上のように、前記実施例では請求項１に対応して、１本の通し嵌合筒５に２本の止まり嵌合筒６が交差接合されると共に、隣接する通し嵌合筒５及び止まり嵌合筒６が、通し嵌合筒５の第１の軸線７と止まり嵌合筒６の第２の軸線８を一つの仮想一平面９内に位置させるように分断されて二つの板状の内側セグメント10と外側セグメント11に分割され、かつ、隣接する内側セグメント10と外側セグメント11が頭部12を備えたボルト13及びそれに螺合するナット14を介して連結され、継手３の通し嵌合筒５に挿通された通しパイプ１及び止まり嵌合筒６に挿入された止まりパイプ２とが、ボルト13及びナット14による隣接する内側セグメント10と外側セグメント11同士の締め付けによって結合されている継手３において、通し嵌合筒５の外周に第１の軸線７を中心として設けられる表面側を凸状に形成すると共に裏面側を凹状に形成した第１の突条15と、二つの板状の内側セグメント10と外側セグメント11に前記仮想一平面９を境としてそれぞれ設けられる内側フランジ16と外側フランジ17と、これら内側フランジ16と外側フランジ17に設けられたボルト13の第１の貫通部20、第２の貫通部21と、第１の貫通部20、第２の貫通部21の周囲に設けられた表面側を凸状に形成すると共に裏面側を凹状に形成した縁突条22とを備えたことにより、通しパイプ１に止まりパイプ２を当接でき、そしてボルト13にナット14を螺着して締め付けたときに、通し嵌合筒５や第１の貫通部20、第２の貫通部21まわりに局部応力が発生しても、第１の突条15や縁突条22の弾性変形がこれを解消でき、均一な締め付けを可能にする。
【００２６】
前記実施例では請求項２に対応して、縁突条22と第１の突条15とを接続する第１の接続用突条23を前記内側フランジ16と外側フランジ17に備えることにより、ボルト13、ナット14による締め付け時に強力な局部応力が発生したとしても、これを縁突条22から第１の接続用突条23を介して前記第１の突条15へと伝達して解消でき、また逆に前記第１の突条15から第１の接続用突条23を介して縁突条22へと伝達して解消できる。
【００２７】
前記実施例では請求項３に対応して、止まり嵌合筒６の外周に第２の軸線８を中心として設けられる表面側を凸状に形成すると共に裏面側を凹状に形成した第２の突条15Ａと、二つの板状の内側セグメント10と外側セグメント11に前記仮想一平面９を境としてそれぞれ設けられる内側フランジ16と外側フランジ17と、これら内側フランジ16と外側フランジ17に設けられたボルト13の第１の貫通部20、第２の貫通部21と、第１の貫通部20、第２の貫通部21の周囲に設けられた表面側を凸状に形成すると共に裏面側を凹状に形成した縁突条22とを備えたことにより、通しパイプ１に止まりパイプ２を当接でき、ボルト13にナット14を螺着して締め付けたときに、止まり嵌合筒６や第１の貫通部20、第２の貫通部21まわりに局部応力が発生しても、第２の突条15Ａや縁突条22の弾性変形がこれを解消でき、均一な締め付けを可能にする。
【００２８】
前記実施例では請求項４に対応して、縁突条22と第２の突条15Ａとを接続する第２の接続用突条24を内側フランジ16と外側フランジ17に備えることにより、ボルト13、ナット14による締め付け時に強力な局部応力が発生したとしても、これを縁突条22から第２の接続用突条24を介して前記第２の突条15Ａへと伝達して解消でき、また逆に前記第２の突条15Ａから第２の接続用突条24を介して縁突条22へと伝達して解消できる。
【００２９】
前記実施例では請求項５に対応して、内側フランジ16と外側フランジ17の通し嵌合筒５側の第１の縁18は第２の軸線８とほぼ平行に設けられ、内側フランジ16と外側フランジ17の止まり嵌合筒６側の第２の縁19は第１の軸線７とほぼ平行に設けられることによって、正面が角型で面積の広い内側フランジ16と外側フランジ17によりボルト13、ナット14の径を大きくすることなどが可能となる。
【実施例２】
【００３０】
以下に、他の実施例について説明する。尚、前記実施例１と同一部分については同一符号を付し、その詳細な説明を省略する。
【００３１】
図７〜図８は実施例２を示しており、実施例２の継手３は、通しパイプ１が貫通する１本の通し嵌合筒５と、それぞれ止まりパイプ２が挿入する２本の止まり嵌合筒６が、通し嵌合筒５と止まり嵌合筒６の軸線がＴ字状をなし、かつ、両止まり嵌合筒６の軸線が直線をなすように交差接合されると共に、隣接する通し嵌合筒５と止まり嵌合筒６が両者の軸線を仮想一平面９内に位置させるように分断されて平面視ほぼＩ字状のセグメント10とセグメント11に分割されている。そして、これらセグメント10とセグメント11は、頭部を有する雄螺子部材たる六角頭部12を有するボルト13と雌螺子部材たるナット14により分解可能に連結されている。
【００３２】
このような継手３であっても、実施例１と同様に、通し嵌合筒５に局部応力が加わったとしても該第１の突条15が弾性変形することで、その局部応力を吸収することができるなどの作用効果を奏することができる。
【実施例３】
【００３３】
図９〜図10は実施例３を示しており、実施例３の継手３は、通しパイプ１が貫通する１本の通し嵌合筒５と、それぞれ止まりパイプ２が挿入する１本の止まり嵌合筒６が、通し嵌合筒５と止まり嵌合筒６の軸線がＴ字状をなすように交差接合される。そして通し嵌合筒５と止まり嵌合筒６が両者の軸線を仮想一平面９内に位置させるように分断されて平面視ほぼＩ字状の内側セグメント10と外側セグメント11に分割されている。そして、これらセグメント10とセグメント11は、頭部を有する雄螺子部材たる六角頭部12を有するボルト13と雌螺子部材たるナット14により分解可能に連結されている。
【００３４】
このような継手３であっても、実施例１と同様に、通し嵌合筒５に局部応力が加わったとしても該第１の突条15が弾性変形することで、その局部応力を吸収することができるなどの作用効果を奏することができる。
【産業上の利用可能性】
【００３５】
以上のように本考案にかかる継手は、中空なパイプ以外に中実な軸にも利用でき、また用途としては仮設ハウスやテントの骨組みなどにも利用する等各種の用途に適用できる。
【図面の簡単な説明】
【００３６】
【図１】本考案の実施例１を示す組立て状態の外側の斜視図である。
【図２】同内側の斜視図である。
【図３】同平面図である。
【図４】同分解斜視図である。
【図５】同パイプを継手を介して組み立てた状態の斜視図である。
【図６】同タル木止め金具の斜視図である。
【図７】本考案の実施例２を示す斜視図である。
【図８】同側面図である
【図９】本考案の実施例３を示す斜視図である。
【図１０】同側面図である。
【符号の説明】
【００３７】
３  継手
５  通し嵌合筒
６  止まり嵌合筒
７  第１の軸線
８  第２の軸線
９  仮想の一平面
10  セグメント
11  セグメント
12  頭部
13  ボルト（雄螺子部材）
14  ナット（雌螺子部材）
15  第１の突条
15Ａ  第２の突条
16  フランジ
17  フランジ
20  第１の貫通部
21  第２の貫通部
22  縁突条
23  第１の接続用突条
24  第２の接続用突条
【図１】
0003135596.tif 000003
【図２】
0003135596.tif 000004
【図３】
0003135596.tif 000005
【図４】
0003135596.tif 000006
【図５】
0003135596.tif 000007
【図６】
0003135596.tif 000008
【図７】
0003135596.tif 000009
【図８】
0003135596.tif 000010
【図９】
0003135596.tif 000011
【図１０】
0003135596.tif 000012